(57)【特許請求の範囲】
【請求項１】
弓状の横長の土台に４本のきのこ状の棒を立て一体化したエラストマー材質のブラジャー用パッドであって、きのこ状の傘部分は、丸みを帯び斜めにカットされた半球体であり、きのこ状の傘部分及び棒部分によって、バストの乳腺下部を押し上げるように装着することを特徴とするパッド。
【請求項２】
請求項１に記載したパッドを、カップ内面に装着したことを特徴とするブラジャー。
【発明の詳細な説明】
【技術分野】
【０００１】  本発明は、改良した形状のブラジャー用パッド、及びそのパッドを装着したブラジャーに関する。
【背景技術】
【０００２】  ブラジャーを高い位置に装着すると、一見バストの脂肪が押し上げられるようだが、実際の着用感は肋骨が圧迫されて胸が苦しく悪く、ブラジャーのバージスラインからバスト下部の脂肪がカップ外にはみだし、「ずれ上がる」状態になる。【０００３】  ブラジャーカップのカバー体に組み入れられたボーン、パッドなどは、カップに「沿っている」ため、着用感は良いが、「乳腺上を全体的に圧迫している」ため、「乳腺上の下部に入り込まず」、バストの寄せ押し上げ効果には弱い点がある。【０００４】  カップカバー体に組み入れられていないパッドに関しても、カップ脇端部、下部などを圧迫する事で、ある程度の寄せ及びバストアップ効果はあるが、カップ内で乳腺上をパッドが押し上げるため、「ずり上がり現象」が起こる。また、横からバストを見た際の厚みがあり大きく見えるが、本来、目的とする前から見た際の、バストアップ及び寄せ機能には劣る点がある。さらに、バストアップ及び寄せの補整効果を長時間維持する事ができない。【０００５】  特許文献１のブラジャーは、運動していても乳房の補整効果を維持可能な機能がある。しかし、そのバストアップによる乳房の補整効果には限界があり、ボリュームが少ないという欠点があった。【０００６】  特許文献２の三次元ボーン構造のブラジャーは、「ずり上がり現象」や「引きずり」を防止できるが、三次元形状の指状ボーンをカップ部のカバー体に組み入れているため、乳腺上の脇端部、下部に直接、また深く押し当てられない。このため、バスト上部位置にあたる、デコルテ下まで来る高いバスとボリュームアップ機能及びバスト寄せ機能には薄いという欠点があった。【０００７】  特許文献３のパッドは、着用状態において乳頭と、その下方寄り部分が圧迫を受けることなく、着用感の良好なパッドであるが、バストのボリュームアップには弱い点があった。【０００８】  特許文献４のブラジャーは、プレート上の芯材を内蔵したパッドをカップに装着し、同心材をカップ脇部に向いカップ内面に装着しているため、バストの脇部側への横流れを防止し、中央部への寄せ効果は多少あるが、バスト上部位置にあたる、デコルテ下まで来る高いバストボリュームアップには劣っている点がある。【０００９】
【特許文献１】  特開平９−３１７１１号公報（特許第３６５４６８６号）
【特許文献２】  特開平１１−１３１３０７公報（特許第２８２４０５５号）
【特許文献３】  特開２００３−１７１８１０号公報
【特許文献４】  特開２００５−１９４６５４号公報
【発明の開示】
【００１０】  本発明は、このような課題を解決するため、改良した形状のパッドと、このパッドを装着したブラジャーを提供する事を目的とする。
【課題を解決するための手段】
【００１１】  本発明は、弓状の横長の土台に４本のきのこ状の棒を立て一体化したエラストマー材質のパッド、及びこのきのこ状パッドを取り付けたブラジャーにより、上記課題を解決する。きのこ状パッドは、ブラジャーに取り付け、取り外し可能に装着することが好ましい。
【発明の効果】
【００１２】  本発明のきのこ状パッドは、特に「押し上げ効果」を十分に発揮させる特徴がある。
【００１３】  きのこ状の棒は、一本一本適度な弾性力を有する。バストは場所によって脂肪の付き方が異なるため、効果を確実に出すために、バストにあたる位置によって、指状部分の長さ、太さ、かさ（棒の先、頭）の大きさを、それぞれ変えてある。
【００１４】  バストの表面に直接あてるため、バスト形状に合わせ、それぞれフィット感が計算されている。肌に対し滑りにくい材質であり、丸みを帯びた立体形状の、４本のきのこ状の棒１本１本が確実に不快感なく深く位置し、バストをソフトに押し上げる。心地良いフィット感、ソフトな刺激がある。
【００１５】  バストのツボに刺激が入り、「バストの発育効果」も期待できる。またブラジャー装着時カップに手でバストをしっかり寄せ入れる際、きのこ状の棒４本の間隔を心地良い位置に簡単に調節し、合わす事ができるので、良好な着用感が得られる。
【００１６】  きのこ状の棒の先（の部分斜め半球体）は、バストの表面に下方から押し当てる。バスト形状にフィットしているため、乳腺上への「ずり上がり現象」を防止できる。その結果、バストは「引き上げられ」、保持される。
【００１７】  きのこ状パッドの弓状の土台部分は、バスト形状に沿っている外側部分が、バストの表面に押し当てられ、バストの脂肪を最大限、押し当てる。
【００１８】  そしてこのパッドはブラジャーの高い位置で固定するため、バストを確実に引き上げる作用を有し、バストアップ補整効果を確実にする。バスト寄せ効果ももちろんあるが、特にバストアップ押し上げ効果が強い。
【００１９】  乳房を常時圧迫するように構成したため、優れた補正効果を長時間維持する事が可能である。
【００２０】  きのこ状パッド装着用カバーを、ブラジャーのカップにホックで取り付け、取り外し可能にすると、普通のブラジャーとしても使用できる。また、従来あるブラジャー類に、「一部分の縫合で済み」製造が容易でコストが安く済み、多様なカップ形状にも対応できる。
【発明を実施するための最良の形態】
【００２１】  図１は、本発明の実施例のブラジャーを裏側から見た概略図である。きのこ状パッド４は弓状の横長の土台に、４本のきのこ状の棒を立て一体化したエラストマー材質のパッドであり、４本のきのこ状の棒は横並びになっている。きのこ状パッド４の土台部分は、カバー３で包んであり、カバー３は、ホックにより、ブラジャーのカップ内面に取り付け、取り外し可能になっている。【００２２】きのこ状パッド４を使用する際は、パッド４を倒し、図７に示すようにバストに押し当てる。図７（Ａ）は、きのこ状パッド４をバスとに押し当てた状態を正面から見た図であり、横から見ると図７（Ｂ）のようになる。バストの脂肪が押し上げられ上部に移動するため、図７（Ｃ）の状態になることもある。弾性素材を使用しているため、きのこ状パッド４は、バストの表面をソフトに押し上げる。なお、図３において、符号７，８，１０は、乳腺を示す。【００２３】  きのこ状パッド４は、図３（Ｂ）のように乳腺８が小さい状態（バストが張っていない時期）の時に使用しやすく、バストに心地良い大きさと形状になっている。しかし図６に示す２分の１サイズのパッドを使用すると、図３（Ｃ）のように乳腺１０が大きい状態（バストが張っている時期）の時でも、心地良い着用感になる。【００２４】  図５（Ｃ）に示すように、きのこ状の棒の傘部分Ｈは、丸みを帯び斜めにカットされた半球体であり、その形状はバストラインの角度に沿い、確実に「押し上げ」そして「引き上げ」、また「押し上げたバストを押し下げない」効果がある。図５（Ｂ）（Ｃ）に示すきのこ状の傘部分Ｈ及び棒部分１は、バストの乳腺下部の深い位置（図３（Ｂ）に符号９で示した部分）に辺り、バストを押し上げるようになっている。【００２５】  きのこ状パッド４の使用時には、土台の裏部分Ｊ（図５（Ｄ））が、カバー３を押すため、ほどよい弾力がバストに伝わり、ソフトな押し上げにつながる。なお、きのこ状パッド４の横長土台の裏側には、図５（Ｄ）に示すように、凹凸があっても良い。【００２６】  きのこ状パッド４の土台の両端部Ｇ（図５（Ａ））は、ブラジャーカップ正面に凹凸となって現れてしまう虞がある。これを防ぐためには、カップ裏面２分の１上部を布類で２重にして脇端部に切り込みを入れ、ポリエステル素材等からなるプレート心材を切り込み部分から入れておくと良い。【００２７】  きのこ状パッド４は、「バスト押し上げ効果」が高いので、その効果をイメージ的に図で表すと図４（Ａ）に示すようになる。【００２８】  きのこ状パッド以外の参考例について説明すると、図１、２において符号１，２で示したものは、弾性素材からなる帯状の布類である。ホックによりカップに取り付け、取り外し可能になっているが、カップ又はブラジャーに縫合しても良い。布類１，２は、カップの膨らみに沿わず、カップの膨らみに沿った長さより短くなっている。第１図で面方向に見て下方となる布類２は、カップ脇端部から胸の中心に掛け渡されており、第１図で面方向に見て上方となる布類１は、カップ脇端部からアンダーに掛け渡されている。【００２９】    布類１，２は、図２（Ａ）に示すように、ホックを使用して長さ調節可能にすることが好ましいが、固定した長さであっても良い。布類１，２は、ブラジャーを着用した際、図２（Ｂ）に示すように、布類２によりバスト下部を押し上げ、布類１によりバストを胸中心に寄せる。「乳腺の周りの脂肪も」押し上げ胸へと寄せるので、バストのボリュームが高い位置に確保されるようになる。【００３０】  図１で、符号５で示したものは月状パッドであり、符号６で示したものは長方形状パッドであり、きのこ状パッド４の代わりに用いることができる。月状パッド５は、上方の布類２とバスト表面との間で挟まれ、長方形状パッド６は、下方の布類１とバスト表面との間で挟まれる形態である。月状パッド５の単品の使用、もしくは、長方形状パッド６の単品使用でも、それぞれバストアップ補整効果、寄せ補整効果があるが、同時使用の方が、格段と寄せ効果が強力に出る特徴がある。【００３１】  月状パッド５は、エラストマー材質であり、バストをあたる片面、カーブになる内側が斜めに薄くカットされ、中心は厚みを増している形状である。長方形状パッド６は、医療用シリコン素材で均等な厚みである。月状パッド５と長方形状パッド６を使用した場合は「バスト寄せ効果」が特徴であり、その効果をイメージ的に図で表すと図４（Ｂ）に示すようになる。【００３２】  図８は、ブラジャーカップ外面に固定された布類若しくはホック１３に対し、紐類１４、１５を用いてカップ左右を寄せ絞る事で開き気味のバスト（離れ乳）をカバーでき、強力なバストアップ、寄せ補整効果が得られることを示す図である。図８（Ａ）は、ブラジャーカップ外面に固定された布類若しくはホック１３に紐類１４を通し、カップ左右を寄せ絞る例である。図８（Ｂ）は、布類若しくはホック１３に紐類１５をホック類で固定する事でスピーディーにカップ左右を寄せ絞る例を示すものである。図８（Ａ）は「蝶々結びで可愛いデザイン」になっており、図（８）（Ｂ）は「シャープなデザイン」になっている。好みによりデザインを選択でき、ファッションを楽しめる。
【産業上の利用可能性】
【００３３】  本発明が好適なブラジャーカップサイズは、Ｃカップ前後である。カップサイズＣは豊胸手術するほど小さいバストではないが、従来あるブラジャーやパッド機能ではバストの脂肪がデコルテ下の高い位置にまで押し上げられない。現代の世で最も多いブラジャーカップのサイズ層Ｂ，Ｃ，Ｄカップは、本発明のターゲットサイズ層と一致している。もちろん、Ｃカップ前後だけではなく、パッドのサイズ調整で、全てのカップにも適用可能である。
【図面の簡単な説明】
【００３４】
【図１】本発明の実施例及び参考例の構成要素を説明するための図。
【図２】上部布類１と下部布類２の説明図。
【図３】バストの説明図。
【図４】きのこ状パッド４、又は月状パッド５と長方形状パッド６を使用した際のイメージ図。
【図５】きのこ状パッド４の詳細図。
【図６】２分の１サイズにしたきのこ状パッドを示す図。
【図７】きのこ状パッド４の使用状態を説明するための図。
【図８】ブラジャーカップに紐類１４，１５適用した例の説明図。
【符号の説明】
【００３５】１    上部布類
２    下部布類
３    きのこ状パッドのカバー
４    きのこ状パッド
５    月状パッド
６    長方形上パッド
７，８，１０  乳腺
９    きのこ状パッドの傘部分Ｈが当たる位置
１３  ホックもしくは布類
１４，１５  紐類
【図１】
0004293267.tif 000002
【図２】
0004293267.tif 000003
【図３】
0004293267.tif 000004
【図４】
0004293267.tif 000005
【図５】
0004293267.tif 000006
【図６】
0004293267.tif 000007
【図７】
0004293267.tif 000008
【図８】
0004293267.tif 000009